(57)【特許請求の範囲】
【請求項１】
段ボールシート材料製の２枚のカット部材すなわち１個のトレー（１２）を形成する第１のカット部材（１３，３１，６２，１０２，１３１，１４１，２５１，３０２，３４３，４００，５０１）及び前記トレーとかみ合わせた蓋（３）を形成する第２のカット部材（２１，４０，９３，１０３，１４２，２５９，３５０，３５９，４０１，５０２）を含む、２つの部分から成る包装用ケース（１，６０，１０６，１３０，２６７，３４０，３４２，４２０，５１４）において、ユーザーが捕捉するように配置され、ケースの残りの部分との関係においてユーザーがそれを剥ぎ取ることができるようにする部分的に予めカットされた接合線（７，８，９；４４，４４′，４４″，３８，５２；７１，８０；１０９′，１１４′，１１６′；１３４，１３５，１３６，１３７）によってケースの残りの部分に連結されている第１の横方向側壁を有すること、
−  及びトレーの単数又は複数のその他の側壁（１５，２０；６４，６８；１０４，１０４′）が、手で壁に対し垂直に力を加えて引き離すことにより壁間の一体化を解除することのできる単数又は複数の部分的に予めカットされた部分（１６，１７；４６；６６；１２０，１２０′；１５６，１５６′；２６６；３４５，３４６；４１６）及び／又は単数又は複数の接着点によってのみ、蓋の単数又は複数のその他の側壁にそれぞれ固定されていること、
を特徴とする包装用ケース。
【請求項２】
第１の横方向側壁が、それぞれ蓋及びトレーの２つの第１の側壁（５，６；７０，７９）の互いの接着によって形成されていること、を特徴とする請求項１に記載のケース。
【請求項３】
ケースの第１の側壁と蓋との部分的に予めカットされた上部接合線（４４″）が蓋の上にあること、を特徴とする請求項１〜２のいずれか１項に記載のケース。
【請求項４】
ケースの第１の側壁と蓋との部分的に予めカットされた上部接合線（７，４４）が前記第１の壁（６，４３）上にあり、かくして剥取り後も上部帯状部（２６）を蓋と一体化した状態に残すようになっていること、を特徴とする請求項１〜２のいずれか１項に記載のケース。
【請求項５】
蓋とケースの第１の横方向側壁の部分的に予めカットされた上部接合線（４４′）が、蓋の上面の稜と一致すること、を特徴とする請求項１〜２のいずれか１項に記載のケース。
【請求項６】
前記壁の上部接合線（７）上で心出しされたくり抜き部によって構成された取っ手を含むケースの第１の側壁の捕捉手段（７′）を有すること、を特徴とする請求項１〜５のいずれか１項に記載のケース。
【請求項７】
単数又は複数の部分的に予めカットされた部分（４６）及び／又は接着点が、剥取り可能な第１の横方向側壁（４３）とは反対側のケースの第２の横方向側壁（４２）に属していること、を特徴とする請求項１〜６のいずれか１項に記載のケース。
【請求項８】
ケースが、それぞれケースの長手方向側壁上で両側に位置づけされた少なくとも２つの部分的に予めカットされた部分（１６，１７，６６；１２０，１２０′；１５６′；３４５，３４６；４１６）又は接着点を有すること、を特徴とする請求項１〜７のいずれか１項に記載のケース。
【請求項９】
蓋がトレー内にかみ合わされること、を特徴とする請求項１〜８のいずれか１項に記載のケース（１，６０）。
【請求項１０】
部分的に予めカットされた部分（１６，１７；６６）がトレーに属すること、を特徴とする請求項１〜９のいずれか１項に記載のケース。
【請求項１１】
単数又は複数の部分的に予めカットされた部分（１６，１７；４６；６６）が開放線に沿って予めカットされていること、を特徴とする請求項１〜１０のいずれか１項に記載のケース。
【請求項１２】
部分的に予めカットされたフラップの単数又は複数の部分が閉鎖線に沿ってカットされること、を特徴とする請求項１〜１０のいずれか１項に記載のケース。
【請求項１３】
第１のカット部材（１３，３１，６２）が一連の３つのフラップ、すなわち、前記トレーの長手方向側壁を少なくとも一部分形成する２枚のサイドフラップ（１５，３４，６４）に対して第１の折り線（３３）により側方に連結されたトレーの底面を形成する中央フラップ（１４，３２，６３）を含んで成り、前記一連のフラップが、第１の折り線に対して垂直な少なくとも１本の第２の部分的に予めカットされた折り線（９，９′，３８，７１）により連結された前記フラップの片側に位置づけされた少なくとも１つの横方向折返し（５，７０）を含んで成り、前記横方向折返し（５，７０）が少なくとも一部分、トレーの第１の横方向側壁を形成していること、を特徴とする請求項１〜１２のいずれか１項に記載のケース。
【請求項１４】
各々のサイドフラップ（１５）が２つの部分的に予めカットされた部分（１６，１７）を含んで成ること、を特徴とする請求項１３に記載のケース。
【請求項１５】
第２のカット部材が３つのパネル（４１，４２，４３；７４，７５）つまり、それぞれ一方については前記単数又は複数の部分的に予めカットされた側方部分（４６）又は前記接着点を介してそしてもう一方については接着線を介して第１のカット部材と一体化されたケースの側壁を少なくとも一部分形成する２枚のサイドパネル（４２，４３；７５）に対して第３の折り線（４２′，４４′）によって側方に連結されたケースの蓋の上部面を形成する矩形中央パネル（４１，７４）を有していること、を特徴とする請求項１〜１４のいずれか１項に記載のケース。
【請求項１６】
第２のカット部材（７３）が、第１のカット部材の前記第２の折り線（７１，７２）に対面して位置づけされた第４の折り線によって連結されている前記パネルの両側にある２組の側方折返し（７６，７７，７８，７９）を有すること、を特徴とする請求項１〜１５のいずれか１項に記載のケース。
【請求項１７】
第２のカット部材（２１）が、第１のカット部材の第２の折り線（９′）に対して平行な第４の折り線（２３，２３′）によってそれぞれ互いに連結された少なくとも４枚のパネル（２２）及び端部接着用タブ（２２′）を有し、４枚のパネルが、第１のカット部材（１３）と反対側にある１組の折返し（２４，２５）を含んで成ること、を特徴とする請求項１〜１４のいずれか１項に記載のケース。
【請求項１８】
第１のカット部材の各フラップ（３２，３４；６３，６４）が横方向折返しつまり、中央フラップに連結されかつ底面の部分的に予めカットされた部分を形成する中央折返し（７０）及び、サイドフラップに連結され前記中央フラップ上に接着された２枚の側方折返しを有すること、を特徴とする請求項１〜１７のいずれか１項に記載のケース。
【請求項１９】
各カット部材が同定用タブ（１４０；１３０；１５３；１６８）で終わる一連の４枚の主要フラップ（１０４，１０４′，１０４″，１０４″′；１１０，１１１，１１２，１１３；１４６，１４７，１４８，１４９；１６０，１６２，１６４，１６６）を含んで成り、前記主要フラップ及び前記タブが互いに平行な第１の折り線（１０５，１０５′；１１４，１１４′；１４５，１４５′；１６９，１６９′）を通じて直接的に又は二次的フラップ（１５０，１５１，１５２，１５３；１６１，１６３，１６５，１６７）を介して互いに連結されており、各カット部材はさらに、一方についてはトレーの底面そしてもう一方についてはケースの上部部分の上面を少なくとも部分的に形成することを目的とし、前記第１の折り線に対し垂直な第２の折り線（１０９，１０９′；１１６，１１６′；１５４，１５４′；１７１，１７１′）によって前記一連の主要フラップに連結された、この主要フラップの片側に配置された第１の側方折返しのアセンブリ（１０８，１１５；１５５，１７０）を含んで成ること、を特徴とする請求項１〜１２のいずれか１項に記載のケース。
【請求項２０】
第２の要素の固定用タブ（１１３ａ，１６８）は、それが隣接して連結されているフラップの側縁部の一部分のみに沿って、第１の要素の固定用タブより上に延びていること、を特徴とする請求項１９に記載のケース。
【請求項２１】
主要フラップ（１４６，１４７，１４８，１４９；１６０，１６２，１６４，６６）が、面取りされたコーナーをもつ８面ケースを形成するため、二次的フラップ（１５０，１５１，１５２，１５３；１６１，１６３，１６５，１６７）によって互いに分離されていること、を特徴とする請求項１９〜２０のいずれか１項に記載のケース。
【請求項２２】
ケースを形成するためのカット部材アセンブリにおいて、各々１枚のフラップ又は中央パネル及び複数のサイドフラップ又はサイドパネルで形成された２つのカット部材，すなわちトレーを形成することを目的とした第１のカット部材及びケースのフタを形成するための第２のカット部材を有し、
第１のカット部材（１３，３１，６２）は、中央フラップに連結されしかもカット部材のうちの１つに属してもう１つのカット部材に接着された少なくとも１つの部分的に予めカットされた部分（１６，１７；４６：６６）を介して第２のカット部材の隣接するサイドパネル（２２，４２，７５）に一体化されるように配置された少なくとも１つのサイドフラップ（１５，６４）又は第２の横方向折返し及び、
部分的に予めカットされた接合線（９，９′；３８，７１）によって中央フラップ（１４，３２，６３）にもう一方の側で連結された第１の横方向折返し（５，７０）を含んで成ること、及び第２のカット部材のサイドパネルが第１の横方向折返しに接着されるようになっており又、部分的に予めカットされた接合線により中央パネルに連結されており、前記第１の横方向折返し及びサイドパネルは、かくして予めカットされた接合線によりアセンブリの残りの部分に連結された状態でユーザーにより捕捉されるように配置されていること、
を特徴とするカット部材アセンブリ。
【請求項２３】
第１のカット部材のサイドフラップ（３４，６４）が各々、それぞれ第１の横方向折返し（５，７０）の側で部分的に予めカットされた折り線により対応するフラップに連結された１つの折返しを含んで成ること、を特徴とする請求項２２に記載のカット部材アセンブリ。
【請求項２４】
第１のカット部材が少なくとも１つの部分的に予めカットされた折返しを含み、第２のカット部材は、部分的に予めカットされた折り線（２３′）によってその２つの隣接パネル（２２）に連結されかつ、部分的に予めカットされた折り線によりケースの第１の底部垂直壁を形成することを目的とした前記パネルに対し、帯状部を形成するパネルの一部分を介してか又は直接的に連結された折返しを備えたもの１つを含む少なくとも４枚のパネル（２２）を含んで成ること、を特徴とする請求項２２に記載のカット部材アセンブリ。
【請求項２５】
各要素が、１つの固定用タブ（１０４ａ，１１３ａ）で終わる一連の４枚の主要フラップ（１０４，１０４′，１０４″，１０４″′；１１０，１１１，１１２，１１３，１４３；１６０，１６２，１６４，１６６）を含んで成り、前記主要フラップ及び前記タブは、二次的フラップ（１５０，１５１，１５２，１６３；１６１，１６３，１６５，１６７）を介してか又は直接的に、互いに平行な第１の折り線（１０５，１０５′；１１４，１１４′；１４５，１４５′；１６９，１６９′）を介して互いに連結されており、各要素はさらに、一方についてはトレーの底面そしてもう一方については第２の要素の上面を少なくとも部分的に形成することを目的とし、前記第１の折り線に対し垂直な第２の折り線（１０９，１０９′；１１６，１１６′；１５４，１５４′；１７１，１７１′）によって前記一連の主要フラップに連結された、この主要フラップの片側に配置された第１の側方折返しのアセンブリ（１０８，１１５；１５５，１７０）を含んで成り、該２つの要素は、外部フラップと呼ばれる第１の要素の前記主要フラップのうちの１つ（１０４；１４６，１４８）の中で予めカットされた少なくとも１つのフラップ部分（１２０；１５６，１５６′）によって互いに連結されるように配置されており、前記部分は、内部フラップと呼ばれる第２の要素に対面して対応する主要フラップに固定されていること、
−  及び第１のカット部材の横方向フラップ（１０４″′）及び第２のカット部材の横方向フラップ（１１１）が、予めカットされた接合線（１０９′，１０５′；１１４′，１１６′；１５４′，１４５′；１６９′，１７１′）により対応する隣接フラップ及び折返しに連結されていること、
を特徴とする請求項２２に記載の包装用ケースのためのカット部材アセンブリ（１）。
【請求項２６】
蓋と共にひとたび形成された時点でケースの第１の側壁の接合線に対応することになる単数又は複数の予めカットされた接合線が蓋の上に位置づけされていること、を特徴とする請求項２２〜２５のいずれか１項に記載のカット部材アセンブリ。
【請求項２７】
ひとたび形成された時点でケースの第１の側壁の接合線に対応することになる予めカットされた上部接合線が、ひとたび形成された時点でケースの上部稜と一致すること、を特徴とする請求項２２〜２５のいずれか１項に記載のカット部材アセンブリ。
【請求項２８】
予めカットされた単数又は複数のフラップ部分（１２０；１５６，１５６′）が閉鎖線に沿ってカットされること、を特徴とする請求項２２〜２７のいずれか１項に記載のカット部材アセンブリ。
【請求項２９】
予めカットされた単数又は複数のフラップ部分が開放線に沿ってカットされていること、を特徴とする請求項２２〜２７のいずれか１項に記載のカット部材アセンブリ。
【請求項３０】
第２の要素の固定用タブ（１１３ａ，１６８）は、第１の要素の固定用タブより上で、それが連結された隣接フラップの側縁部の一部分のみに沿って延びていること、を特徴とする請求項２５に記載のカット部材アセンブリ。
【請求項３１】
主要フラップ（１４６，１４７，１４８，１４９；１６０，１６２，１６４，１６６）が、面取りされたコーナーをもつ８面ケースを形成するため、二次的フラップ（１５０，１５１，１５２，１５３；１６１，１６３，１６５，１６７）によって互いに分離されていること、を特徴とする請求項２２〜２３のいずれか１項に記載のカット部材アセンブリ。
【請求項３２】
立体化が、互いに予め接着され前記第１の部分の少なくとも１つによって一体化された２つのカット部材を、予め定められた寸法の体積のまわりに巻きつけることにより行なわれること、を特徴とする請求項２２〜３１のいずれか１項に記載のカット部材アセンブリ。
【請求項３３】
予めカットされた部分が、第１及び第２の折り線の間の接合部から第１のカット部材の外側に向かって斜めに出発すること、を特徴とする請求項２２〜３２のいずれか１項に記載のカット部材アセンブリ（１３０，１４２）。
【請求項３４】
予めカットされた部分が第１のカット部材に属すること、を特徴とする請求項２２〜３３のいずれか１項に記載のカット部材アセンブリ。
【請求項３５】
各々１つの中央パネル又はフラップ及び２つのサイドパネル又はフラップで形成された２つのカット部材すなわちトレーを形成することを目的とする第１のカット部材及びケースの上部部分を形成することを目的とする第２のカット部材を有し、前記カット部材が、そのそれぞれのサイドパネル及びフラップで、カット部材のうちの１つに属しもう１つのカット部材に接着されるための少なくとも２つの側方の予めカットされた部分を介してのみ互いに一体化され得るようになっていること、を特徴とする請求項２２に記載のケース製造用のカット部材アセンブリ。
【請求項３６】
第１のカット部材の中央フラップが、２つの予めカットされた底部部分の備わった前記底面の延長部分内に中央折返しを含み、第１のカット部材のサイドフラップが各々、前記予めカットされた底部部分上にそれぞれ接着され得る側方折返しを含むこと、を特徴とする請求項３５に記載のカット部材アセンブリ。
【請求項３７】
第２のカット部材の中央パネルが、予めカットされた２つの蓋部分の備わった前記パネルの延長部分内に中央折返しを含み、第２のカット部材のサイドパネルが、前記予めカットされた蓋部分上にそれぞれ接着され得る側方折返しを各々１つずつ含むこと、を特徴とする請求項３５〜３６のいずれか１項に記載のカット部材アセンブリ。
【請求項３８】
第１のカット部材及び第２のカット部材が各々単数又は複数の折返しの組を１つずつ含み、該組がそれぞれ、予めカットされた折り線により対応するフラップ及びパネルに連結されていること、を特徴とする請求項３５に記載のアセンブリ。
【請求項３９】
予めカットされた側方部分が、第１及び第２の折り線の間の接合部から第１のカット部材の外部に向かって斜めに出発すること、を特徴とする請求項３５〜３８のいずれか１項に記載のアセンブリ。
【請求項４０】
第１のカット部材が３つの予めカットされた折返しを含み、第２のカット部材が、予めカットされた折り線によって前記ケースの底面を形成するためのパネルに連結された折返しを備えたもの１枚を含めた少なくとも４枚のパネルを含んで成ること、を特徴とする請求項３５に記載のアセンブリ。
【請求項４１】
唯一少なくとも１つの予めカットされた部分を用いて及び部分的に予めカットされた接合線により自ら属するカット部材の残りの部分にそれぞれ連結されているパネル及び／又は折返しを用いてのみ第１及び第２のカット部材を互いに固定し、かくして前記予めカットされた部分の近くでケースから外側に向かってカット部材の１つを単に引張ることによってケースの上部部分から手で一体化解除できるディスプレイ用トレーをもつ包装用ケースを形成すること、を特徴とする請求項１〜２１のいずれか１項に記載の包装用ケースの製作方法。
【請求項４２】
段ボールシート材料でできた２つのカット部材すなわち、ディスプレイ用トレーを形成できる第１のカット部材（３，２０，３７，５１，６９，８５，９６，１１１，１３０，１５３）及びケースの上部部分を形成できる第２のカット部材（４，２７，４５，５９，７２，８５′，１００，１１２，１２３，１４２，１５５）から、多角形断面をもつ包装用ケース（１，１８，３６，６７，６８，８２，９１，１１０，１１８，１２７）を製作し、カット部材の１つが、そのカット部材内に少なくとも２つの予めカットされた部分（１２，２４，４３，６６，７５，７６，７８，８４，９９，１１５，１２１，１２８）を含む請求項４１に記載の方法において、
−  前記部分に平らにのり付けし、
−  カット部材の１つに属する前記部分の１つをもう１つの部分の上に平らに貼付し、
−  規定の寸法の体積のまわりにかくして一体化されたカット部材アセンブリを巻きつけ、
−  その後、前記体積のまわりへの巻付け及び折返しの後にもう１つのカット部材上に予めのり付けられたもう１つの部分を貼付すること、を特徴とする方法。
【請求項４３】
−  前記予めカットされた部分（１６，１７，４６，６６，１２０，１２０′，１５６，１５６′，２６６，３４５，３４６，４１６）ののり付け用手段（１６２）、
−  規定寸法の１体積のまわりに巻き付けができるようにするためもう１つのカット部材の折り線との関係において、１のカット部材の折り線が設置されている状態で、前記予めカットされた部分のうちの第１のものをもう１つのカット部材上に接着できるようにするためカット部材を互いに重ねて位置づけする手段（１５２，１５４，１５６）、
−  前記第１の予めカットされた部分をもう１つのカット部材上に接着することにより固定するための適用手段（１５７）、
−  １つのカット部材の壁又は折返しをもう１つのカット部材の壁又は折返し上に互いに固定する手段であって、前記壁又は折返しは、そのそれぞれのカット部材の残りの部分に対して部分的に予めカットされた接合線によって連結されている手段、
−  及び接着のみによる固定のため、規定寸法の１体積のまわりにかくして一体化されたカット部材を巻き付け折返すことにより箱を形成する手段（１６０，１６４，１６５）、
を有すること、を特徴とする請求項１〜２１のいずれか１項に記載の包装用ケースの製作用機械（１５０）。
【請求項４４】
規定寸法の体積が多角形断面のマンドレル（１６０）であること、を特徴とする請求項４３に記載の機械。
【請求項４５】
規定寸法の体積が包装すべき製品で構成されるように配置されていること、を特徴とする請求項４３に記載の機械。
【請求項４６】
カット部材の成形用機械の両側に配置された２つの補給用マガジン（１５２，１５４）を有すること、を特徴とする請求項４３〜４５のいずれか１項に記載の機械。
【請求項４７】
部分的に予めカットされた接合線によって残りの部分に連結されているケースの横方向壁を手で剥ぎ取り、唯一の少なくとも１つの部分的に予めカットされた部分及び／又は単数又は複数の接着点のみによって底面と一体化されているケースの壁及びフタを手で底面から一体化解除させ、上にある製品を解放するため底面を水平に引張り、その後、中味の製品を完全に解放するためフタをとり外すこと、を特徴とするケースの開梱及び中味の製品の陳列方法。
【請求項４８】
段ボールシート材料でできた２つのカット部材すなわち、トレー（２）を形成できる第１のカット部材（１３，３６，６２）及びケースの蓋（３）を形成できる第２のカット部材（２１，４０，７３）から形成され、剛性又は半剛性製品（５４，８２）で充てんされている多角形断面をもつケース（１，６０）の、請求項４７に記載の開梱方法において、ケースが、剥取りを可能にする部分的に予めカットされた接合線により包装材料の残りの部分に連結された第１の横方向側壁（６４，８１）を有し、
−  第１の横方向側壁（４，８１）を手で一気に剥取り、
−  垂直な引張りによりトレーの残りの部分の壁を蓋の残りの部分の壁から手で一体化解除し、これらの壁は、容易に一体化解除できる接着点によってか又は部分的に予めカットされた壁部分（１６，１７；４６；６６）のみを介して互いに固定されており、
−  トレー（２）を水平に引張って解放しそれを上にある製品から取外し、
−  次に蓋（３）を取外して中味の製品を完全に解放すること、
を特徴とする方法。
【請求項４９】
蓋（３）が第１の横方向側壁（４）の剥取り後に帯状部（２６）を有し、そのため蓋（３）を上向きに旋回させて製品（５４）との関係において帯状部（２６）を引込めてから蓋（３）を水平に引張ること、を特徴とする請求項４８に記載のケース開梱方法。
【発明の詳細な説明】
【０００１】
（技術分野）
本発明は、ボール紙又は段ボールのシート材料でできた２つのカット部材すなわちトレーを形成する第１のカット部材及び上部部分つまりケースの蓋を形成し前記トレーとかみ合わされる第２のカット部材を含むタイプの２つの部分から成る包装用ケースに関する。
【０００２】
本発明は同様に、このような包装用ケースを得るためのカット部材アセンブリならびに、該カット部材アセンブリからのケースの製造方法及び製造用機械にも関する。
【０００３】
本発明は同様に、かかるケースの開梱方法にも関する。
【０００４】
本発明は、特に大規模店舗の売場の陳列棚上で即座に、清潔かつ人目を引くような形で、その輸送用包装材料の外側に製品を容易にディスプレイできるようにする剛性製品用（広口びん、缶…）又は半剛性製品用（袋…）の包装材料の分野において、排他的な意味はないものの特に利用されるものである。
【０００５】
（背景技術）
下部部分との関係においてケースの上部部分を急速に分離できるようにする上述のタイプの包装用ケースは、すでに（ＥＰＯ６３７,５４８）知られている。
【０００６】
しかしながら、かかるケースは、１つの棚の上に整列してディスプレイされるべく、包装材料から全ての製品を容易に、急速にかつ完全に取り出すことを可能にしないという欠点を呈している。
【０００７】
（発明の開示）
本発明は、特に、製品に触れることなく単純ないくつかの動作により包装材料のトレー及び蓋を完全に取外すことを可能にし、かくして製品から包装材料を完全に除去できるようにしかつ店舗内の陳列棚上に包装材料内に入った全ての製品を完璧に、即座にかつ一度にディスプレイできるようにするという点において、先行技術に比べ実用上の要求により良く応えるケース及びカット部材アセンブリを提供することを目的としている。
【０００８】
該ケースはさらに、高い堅牢性を呈しながら速いテンポで（２０ケース／分）自動組立てできる。なおかくして本発明により得られたケースは、パレット上で容易に積重ねることができる。
【０００９】
（発明を実施するための最良の形態）
この目的で、本発明は、特に上述のタイプの２つの部分から成る包装用ケースにおいて、ユーザーが捕捉するように配置され、ケースの残りの部分との関係においてユーザーがそれを剥ぎ取ることができるようにする部分的に予めカットされた接合線によってケースの残りの部分に連結されている第１の横方向側壁を有することと、トレーの単数又は複数のその他の側壁が、手で壁に対して垂直に力を加えて引き離すことにより壁間の一体化を解除することのできる単数又は複数の部分的に予めカットされた部分及び／又は単数又は複数の接着点によってのみ蓋の単数又は複数のその他の側壁にそれぞれ固定されていることと、を特徴とする包装用ケースを提供している。
【００１０】
部分的に予めカットされた部分（又は以下で、より簡単に予めカットされた部分として呼ばれる場合もある）というのは、いくつかの連携点又は部分でしかカット部材の残りの部分と付着しておらず、そのため該カット部材の平面に対して垂直な引張りによってカット部材から容易に一体化解除され得るもろい部分のことである。
【００１１】
単数又は複数の部分的に予めカットされた部分及び／又は単数又は複数の接着点は、垂直方向につまり基本的に壁の平面内で応力が加えられるかぎりにおいて優れた抵抗を示すように配置されている。
【００１２】
この抵抗は、特に、包装材料が蓋で捕捉されている場合でも製品の輸送が可能となるほどに完全に充分なものである。
【００１３】
これに対して、壁の間に加えられる離隔応力が壁に対し明確に垂直である場合には、これらの壁は、有利には例えば通過のためにてこの腕及び／又は押返し手段として自分の親指などを用いてユーザーが数ニュートンの補足的応力を与える必要のある硬い点の通過後に、例えば約５〜１０ニュートンという力を用いて、ボール紙の剥離なく手で容易に一体化解除される。
【００１４】
その上、ここで、ケースの第１の側壁がユーザーにより手で剥ぎ取られないかぎり、トレーと蓋はその剛性を保ち、このためトレーと蓋の間の離隔又は開口は不可能となり、又これはさらに有利にも、上述の単数又は複数の硬い点により妨げられている、ということを指摘しておくべきであろう。
【００１５】
トレーと蓋の間のかみ合せは内部的又は外部的なものであり得る。すなわちトレーの壁が蓋に対し外側に又は内側に位置づけされた状態であってよい。
【００１６】
有利には、第１の横方向側壁は、それぞれ蓋及びトレーの２つの第１の側壁（５，６；７０，７９）の互いの接着によって形成されている。
【００１７】
ここでは互いに例えば「ホットメルト」タイプの接着剤帯などによる従来のしっかりした接着で互いに固定されているトレーと蓋の第１の側壁は、かくして同様に、ボール紙の剥離がなければ分離の可能性が無い状態で、ケースの優れた剛性をも確保している。
【００１８】
当初それが属しているカット部材の残りの部分から容易に剥取られる部分的に予めカットされた部分のような、接着点による接着は、逆に剥離の可能性を除外している。
【００１９】
手で捕捉されるように、ケースの第１の横方向側壁は捕捉手段を有するか又は例えばそれと一体化されている。
【００２０】
ここでより特定的に記述されている本発明の実施形態に従うと、これらの捕捉手段及び第１の横方向側壁の部分的に予めカットされた接合線は、特に、製品の脚部を特に完全に解放することによりユーザーがケースの前記第１の側壁の剥取ることができるようにするために具備されている。
【００２１】
包装材料の残りの部分との第１の側壁の部分的に予めカットされた接合線は、有利にも、壁、底面及び蓋の間のケースの稜と一致する。
【００２２】
同様に有利にも、底面とのケースの第１の横方向側壁の部分的に予めカットされた接合線のみが対応する稜と一致しかつ／又は第１の側壁と隣接する側壁との部分的に予めカットされた接合線のみが対応する稜と一致する。
【００２３】
例えば剥取るべき側壁を手全体で捕捉することのできるユーザーは、例えば１〜４キログラムといったような、部分的に予めカットされた部分を一体化解除するための離隔力よりも大きな剥取り力を及ぼす。
【００２４】
有利には、製品の脚部がつねに剥取り可能な面の側から取り払われ得る状態で、垂直又は水平方向の引張りによって一回でか又は各側での水平方向の引張りにより２回で剥取ることのできるのは、側面全体か又はほぼ側面全体（すなわち少なくとも面の７０％）である。
【００２５】
有利には、部分的に予めカットされた接合線（以下では同様にさらに簡単に予めカットされた接合線と呼ばれる場合もある）は、出発時点又はその後の時点で、まずはボール紙のカットされた部分の長さがより長いものであることに起因する第１の硬い点を、そして次に場合によっては補足的な１つ又は２つの中間硬点によって強化され例えばより剥取り易い部分で終るより長い予めカットされた部分を伴うより脆性の高い部分を呈するように、カットされる。
【００２６】
かくして、剥取り応力を分割することにより、ケースに対し及ぼされる予想外の応力及び／又は側方の衝撃の場合に第１の側壁が一体化解除されないことをより良く保証することが可能となる。
【００２７】
かかる措置は、同様に、包装材料の第１の壁の剥取り及び、例えば、それを支持するカット部材の残りの部分に、単数又は複数の硬い点を伴う予めカットされた線により同様に連結されている部分的に予めカットされた部分又は接着点の分割の後、ユーザーが蓋を製品上の所定の位置に維持している間に製品が無い状態でトレーを撤去し、次に例えば軽くもち上げかつ／又は製品に沿って水平方向に滑動させることにより製品から蓋を取り外すことをも可能にする。
【００２８】
有利な実施形態においては、次の措置のうちの両方又はいずれか一方を利用することができる：
【００２９】
−  ケースの第１の側壁と蓋との部分的に予めカットされた上部接合線は蓋の上にあるか、または蓋の上面の稜と一致する。
【００３０】
−  ケースの第１の側壁と蓋との部分的に予めカットされた上部接合線は前記第１の壁上にあり、かくして剥取り後も上部帯状部を蓋と一体化した状態に残すようになっている。
【００３１】
かかる措置により、場合によってバランスをくずし後方に倒れる可能性のあった製品の脚部の下からトレーを取出す際に製品の上部部分をブロックすることができるようになる。
【００３２】
残される帯状部は、大きいサイズをもつものであってもよい。
【００３３】
−  ケースの第１の側壁の捕捉手段は、例えば前記壁の上部接合線上に心出しされたくり抜き部によって構成された取っ手を含む。
【００３４】
−  トレーと蓋の間の単数又は複数の部分的に予めカットされた部分及び／又は接着点は、剥取り可能な第１の横方向側壁とは反対側のケースの第２の横方向側壁に属している。
【００３５】
−  蓋は、トレー内にかみ合わされる。
【００３６】
−  ケースは、それぞれケースの長手方向側壁上で両側に位置づけされた少なくとも２つの部分的に予めカットされた部分又は接着点を有する。
【００３７】
−  部分的に予めカットされた部分は、トレーに属する。
【００３８】
−  単数又は複数の部分的に予めカットされた部分は、開放線に沿って又は閉鎖線に沿って予めカットされている。
【００３９】
−  第１のカット部材は、一連の３つのフラップ、すなわち、前記トレーの長手方向側壁を少なくとも一部分形成する２枚のサイドフラップに対して第１の折り線により側方に連結されたトレーの底面を形成する中央フラップを含んで成り、前記一連のフラップは、第１の折り線に対して垂直な少なくとも１本の第２の部分的に予めカットされた折り線により連結された前記フラップの片側に位置づけされた少なくとも１つの横方向折返しを含んで成り、前記横方向折返しは、少なくとも一部分、トレーの第１の横方向側壁を形成している。
【００４０】
−  各々のサイドフラップは、２つの部分的に予めカットされた部分を含んで成る。
【００４１】
−  第２のカット部材は、３つのパネルつまり、それぞれ一方については前記単数又は複数の部分的に予めカットされた側方部分又は前記接着点を介してそしてもう一方については接着線を介して第１のカット部材と一体化されたケースの側壁を少なくとも一部分形成する２枚のサイドパネルに対して第３の折り線によって側方に連結されたケースの蓋の上部面を形成する矩形中央パネルを有している。
【００４２】
−  第２のカット部材は、第１のカット部材の前記第２の折り線に対面して位置づけされた第４の折り線によって連結されている前記パネルの両側にある２組の側方折返しを有し、折返しとサイドパネルの間の第４の折線は部分的に予めカットされている。
【００４３】
−  第２のカット部材は、第１のカット部材の第２の折り線に対して平行な第４の折り線によってそれぞれ互いに連結された少なくとも４枚のパネル及び端部接着用タブを有し、４枚のパネルは、第１のカット部材と反対側にある１組の折返しを含んで成る。
【００４４】
−  第１のカット部材の各フラップは、横方向折返しつまり、中央フラップに連結されかつ底面の部分的に予めカットされた部分を形成する中央折返し及び、サイドフラップに連結され前記中央フラップ上に接着された２枚の側方折返しを有する。
【００４５】
本発明は同様に、前述のようなケースの製造のためのカット部材アセンブリにも関する。
【００４６】
同様に本発明は、各々１枚のフラップ又は中央パネル及び複数のサイドフラップ又はサイドパネルで形成された２つのカット部材、すなわちトレーを形成することを目的とした第１のカット部材及びケースの蓋を形成するための第２のカット部材を有し、
第１のカット部材は、中央フラップに連結されしかもカット部材のうちの１つに属してもう１つのカット部材に接着された少なくとも１つの部分的に予めカットされた部分を介して隣接するサイドパネルに一体化されるように配置された少なくとも１つのサイドフラップ又は第２の横方向折返し及び、
部分的に予めカットされた接合線によって中央フラップにもう一方の側で連結された第１の横方向折返しを含んで成ること、及び第２のカット部材のサイドパネルが第１の横方向折返しに接着されるようになっており又、部分的に予めカットされた接合線により中央パネルに連結されていること、
を特徴とするカット部材アセンブリにも関する。
【００４７】
有利には、第１のカット部材のサイドフラップは各々、それぞれ第１の横方向折返しの側で部分的に予めカットされた折り線により対応するフラップに連結された１つの折返しを含んで成る。
【００４８】
有利には、部分的に予めカットされた接合線により底面に連結されたサイドパネルは、部分的に予めカットされた折り線により前記サイドパネルに連結された２枚の折り返しを有する。
【００４９】
有利な１実施形態においては、第１のカット部材は、少なくとも１つの部分的に予めカットされた折返しを含み、第２のカット部材は、部分的に予めカットされた折り線によってその２つの隣接パネルに連結されかつ、部分的に予めカットされた折り線によりケースの第１の底部垂直壁を形成することを目的とした前記パネルに対し、帯状部を形成するパネルの一部分を介してか又は直接的に連結された折返しを備えたもの１つを含む少なくとも４枚のパネルを含んで成る。
【００５０】
有利には、第２のカット部材は、部分的に予めカットされた折り線によってその２つの隣接パネルに連結されたもの１枚を含む４枚のパネルを含んで成る。
【００５１】
本発明は同様に、ケースの横方向壁を手で剥ぎ取り、ケースの壁及び蓋を手で底面から一体化解除させ、上にある製品の下部を解放するため底面を水平に引張り、その後、中味の製品を完全に解放するため蓋をとり外すこと、を特徴とするケースの開梱及び中味の製品の陳列方法にも関する。
【００５２】
より特定的には、本発明は同様に、ボール紙又は段ボールのシート材料でできた２つのカット部材すなわち、トレーを形成できる第１のカット部材及びケースの蓋を形成できる第２のカット部材から形成され、剛性又は半剛性製品で充てんされている多角形断面をもつケースの開梱方法において、ケースが、剥取りを可能にする部分的に予めカットされた接合線により包装材料の残りの部分に連結された第１の横方向側壁を有し、
−  第１の横方向側壁を手で例えば一気に剥取り、
−  トレーの残りの部分の壁を蓋の残りの部分の壁から手で一体化解除し、ここでこれらの壁のうちの単数又は複数のものは、容易に一体化解除できる接着点によってか又は部分的に予めカットされた壁部分のみを介して互いに固定されており、
−  トレーを水平に引張って解放しそれを上にある製品から取出し、
−  次に蓋を取外して中味の製品を完全に解放すること、
を特徴とする方法にも関する。
【００５３】
有利には、蓋は、第１の横方向側壁の剥取り後に帯状部を有し、そのため蓋を上向きに旋回させて製品との関係において帯状部を引込めてから蓋を水平に引張る。
【００５４】
本発明は同様に、ボール紙又は段ボールのシート材料製の２枚のカット部材、すなわち１本のトレーを形成する第１のカット部材及び前記トレーとかみ合わせたケースの上部部分を形成する第２のカット部材を含む、２つの部分から成る包装用ケースにおいて、第１のカット部材及び第２のカット部材は、これらのカット部材内で部分的に予めカットされた少なくとも１つのフラップ部分によって構成されたその分離を可能にする手段によって連結されており、ユーザーが捕捉するように配置され、ケースの残りの部分との関係においてユーザーがそれを剥ぎ取ることができるようにする部分的に予めカットされた接合線によってケースの残りの部分に連結されている、それぞれ各カット部材に属する２つのフラップで形成された第１の横方向側壁を有することをも提案している。
【００５５】
有利には、各カット部材は、同定用タブで終わる一連の４枚の主要フラップを含んで成り、前記主要フラップ及び前記タブは、互いに平行な第１の折り線を通して直接的に又は二次的フラップを介して互いに連結されており、各カット部材はさらに、一方についてはトレーの底面そしてもう一方についてはケースの上部部分の上面を少なくとも部分的に形成することを目的とし、前記第１の折り線に対し垂直な第２の折り線によって前記一連の主要フラップに連結された、この主要フラップの片側に配置された第１の側方折返しのアセンブリを含んで成る。
【００５６】
有利には、単数又は複数の部分的に予めカットされた部分は、壁に対し垂直に力を加えることによって得られる手による離隔によりフラップ又は壁の間の一体化解除を可能にする単数又は複数の接着点で置換される。
【００５７】
ここで、予めカットされた部分又は部分的に予めカットされた部分というのは、カット部材の残りの部分といくつかの連携点又は部分でしか付着されておらずそのためこのカット部材の平面に対し垂直な引張りによりカット部材から容易に一体化解除されるもろい部分のことであるということを喚起しておきたい。
【００５８】
有利には、第２の要素の固定用タブは、それが隣接して連結されているフラップの側縁部の一部分のみに沿って、第１の要素の固定用タブより上に延びている。
【００５９】
もう１つの有利な実施形態においては、主要フラップは、面取りされたコーナーをもつ８面ケースを形成するため、二次的フラップによって互いに分離されている。
【００６０】
本発明は、ボール紙又は段ボールのシート材料製のカット部材すなわちディスプレイ用トレーを形成できる第１のカット部材及びケースの上部部分を形成できる第２のカット部材からそれぞれ形成された、互いの中に挿入されるように配置された互いに手で分離可能な２つの要素を含む、包装用ケースのためのカット部材アセンブリにおいて、各要素が、１つの固定用タブで終わる一連の４枚の主要フラップを含んで成り、前記主要フラップ及び前記タブは、二次的フラップを介してか又は直接的に、互いに平行な第１の折り線を介して互いに連結されており、各要素はさらに、一方についてはトレーの底面そしてもう一方については第２の要素の上面を少なくとも部分的に形成することを目的とし、前記第１の折り線に対し垂直な第２の折り線によって前記一連の主要フラップに連結された、この主要フラップの片側に配置された第１の側方折返しのアセンブリを含んで成り、該２つの要素は、外部フラップと呼ばれる第１の要素の前記主要フラップのうちの１つの中で予めカットされた少なくとも１つのフラップ部分によって互いに連結されるように配置されており、前記部分は、内部フラップと呼ばれる第２の要素に対面して対応する主要フラップに固定されており、
−  カット部材の横方向フラップ及び第２のカット部材の横方向フラップが、予めカットされた接合線により対応する隣接フラップ及び折返しに連結されていることをも提案している。
【００６１】
有利な実施形態においては、さらに本発明に従ったケースを基準にして上述したさまざまな措置を利用することができる。
【００６２】
本発明は同様に、各々３つのフラップで形成された２つのカット部材すなわちトレーを形成することを目的とした第１のカット部材及び上部部分を形成することを目的とした第２のカット部材を有し、これらのカット部材が、カット部材のうちの１つに属しもう１つのカット部材に接着された２つの予めカットされた部分を介してのみ互いに一体化されていること、を特徴とするカット部材アセンブリをも提案している。
【００６３】
有利には、２つのカット部材は互いの上に平らに折畳まれる。
【００６４】
本発明は同様に、端部フラップに属する前記予めカットされた部分を介して接着された前記アセンブリをトンネル状にすることによって、かかるカット部材アセンブリを用いて得られたケースをも提案している。
【００６５】
本発明は同様に、段ボールシート材料でできた２つのカット部材すなわち、ディスプレイ用トレーを形成できる第１のカット部材及びケースの上部部分を形成できる第２のカット部材から、多角形断面をもつ包装用ケースを製作するための前述のタイプの方法をも提案する。
【００６６】
本発明は同様に、又より厳密に言うと、２つのカット部材からかかる包装用ケースを製作するための方法において、カット部材の１つが、そのカット部材内に少なくとも２つの予めカットされた部分を含み、
−  前記部分に平らにのり付けし、
−  前記部分の１つをもう１つのカット部材の上に平らに貼付し、
−  規定寸法の体積のまわりにかくして一体化されたカット部材アセンブリを巻きつけ、
−  その後、前記予めカットされた部分の近くでケースの外側に向かってカット部材の１つを単に引張るだけでケースの上部部分から手で一体化解除できるディスプレイ用トレーを含む前記包装用ケースを形成するような形で、前記体積のまわりへの巻付け及び折返しの後にもう１つのカット部材上に予めのり付けられたもう１つの部分を貼付する方法をも提案している。
【００６７】
有利な実施形態においては、規定の寸法の体積はマンドレルである。
【００６８】
同様に有利には、実施される方法は、第１のカット部材が一連の３つのフラップ、つまり第１の折り線によってトレーの２つの長手方向側壁を少なくとも一部分形成することのできる２つのサイドフラップに対し側方に連結されたトレーの底面を形成することのできる１つの中央フラップを含んで成り、ここで前記一連のフラップは前記トレーの横方向側壁を少なくとも一部分形成することを目的とし、かつ第１の折り線に垂直な第２の折り線によりそれが連結されている前記フラップの片側にある少なくとも１組の横方向折返しを含み、第２のカット部材が少なくとも１つのパネルを含んで成るような２つのカット部材に関連するものである。
【００６９】
本発明は同様に、段ボールシート材料でできた２つのカット部材すなわち、ディスプレイ用トレーを形成できる第１のカット部材及びケースの上部部分を形成できる第２のカット部材から、多角形断面をもつ包装用ケースを製作するための機械において、
−  カット部材の１つが、長手方向軸との関係において前記カット部材の両側にそれぞれ位置づけされた少なくとも２つの予めカットされた部分を前記カット部材内に含み、
−  前記規定部分ののり付け用手段、
−  規定寸法の１体積のまわりに巻き付けができるようにするためもう１つのカット部材の折り線との関係において、１つのカット部材の折り線が設置されている状態で、前記予めカットされた部分のうちの第１のものをもう１つのカット部材上に接着できるようにするためカット部材を互いに重ねて位置づけする手段、
−  前記第１の予めカットされた部分をもう１つのカット部材上に接着することにより固定するための適用手段、
−  及び接着のみによる固定のため、規定の寸法の１体積のまわりにかくして一体化されたカット部材を巻き付け折返すことにより箱を形成する手段、
を含んで成ることを特徴とする機械をも提案する。
【００７０】
有利には、該機械は、カット部材の包装用機械の両側に配置された２つの補給用マガジンを有する。
【００７１】
有利には、予め定められた寸法の体積は、例えば８面をもつマンドレルである。
【００７２】
本発明は同様に、同じく上述したカット部材アセンブリに基づいて上述の方を実施するための機械をも提案する。
【００７３】
本発明はさらに、段ボールシート材料でできた２つのカット部材すなわち、トレーを形成できる第１のカット部材及びケースの上部部分を形成できる第２のカット部材から形成され、剛性又は半剛性製品で充てんされている多角形断面をもつケースの開梱方法において、ケースが、剥取りを可能にする部分的に予めカットされた接合線により包装材料の残りの部分に連結された第１の横方向側壁を有し、カット部材は単数又は複数の予めカットされた部分によってのみ一体化されており、
−  予めカットされた部分のレベルでの剥取りによってケースの上部部分からトレーを手で一体化解除し、
−  トレーを水平に引張ってトレーとその上にある製品を解放し、
−  次に上部部分を同じく水平に引張って、中味の製品を完全に解放すること、
を特徴とする方法をも提案している。
【００７４】
換言すると、棚の上に単独でとどまることができることになる製品自体の脚部の下でトレーを引張る。
【００７５】
有利には、引張りは同じ側で行なわれる。
【００７６】
本発明は同様に、上部部分及びトレーが、それらをケース内に収納された製品の上下で、連続的かつ水平に引張ることによって取り外される、上述の実施形態に従ったケースの開梱方法を提案する。
【００７７】
本発明は同様に、ボール紙又は段ボールのシート材料で作られた２つのカット部材，すなわちディスプレイ用トレーを形成する第１のカット部材及びこのトレーの内部にかみ合わされるケースの上部部分を形成する第２のカット部材を含む２つの部分から成る包装用ケースにおいて、トレーが２つの横方向垂直壁すなわち、前記トレーの長手方向垂直壁及び／又は対面するケースの前記上部部分の垂直壁から単に外向きに引張るだけで手により一体化解除でき、かつトレーの底面から完全に離脱可能であるか又はボール紙の肥厚を作り出すことなくトレーの底面の延長部分の中に平らに置き直すことのできる第１の横方向壁、及び、オペレータによって捕捉されうる第２の横方向壁を有していること； 及びトレーの長手方向垂直壁が、単に引張ることで手により一体化解除できる単数又は複数の予めカットされた側方部分及び／又は単に引張るだけで手により分離できる単数又は複数の接着点によってのみ、対面する上部部分の垂直壁と一体化されていること、を特徴とする包装用ケースも提案している。
【００７８】
有利な実施形態においては、同様に又は追加して、以下の措置のうちのいずれかを利用することができる。
【００７９】
−  トレーの第２の横方向壁には、取っ手又は捕捉用くり抜き部分が備わっている。
【００８０】
−  上部部分は、取っ手又は捕捉用くり抜き部の備わった横方向引き抜き面を有する。
【００８１】
−  予めカットされた側方部分は第１のカット部材に属している。
【００８２】
−  予めカットされた側方部分は開放線に沿ってカットされている。
【００８３】
有利には、これらは、完全に取り払われた側が第１の横方向壁に向いている状態で、このようになっている。
【００８４】
かくして、トレーが製品の脚部の下で水平引張り力により引っ込められようとしている場合、上部部分上に接着された状態にとどまっている予めカットされた部分は障害に遭遇せず、かくして垂直方向の引き抜きが容易又は可能になる。
【００８５】
−  第１のカット部材は、一連の３つのフラップ、すなわち、前記トレーの長手方向垂直壁を少なくとも一部分形成できる２枚のサイドフラップに対して第１の折り線により側方に連結されたトレーの底面を形成する中央フラップを含んで成り、前記一連のフラップが、第１の折り線に対して垂直な少なくとも１本の第２の部分的に予めカットされた折り線により連結された前記フラップの片側に位置づけされた少なくとも１つの横方向底部折返しを含んで成り、前記横方向底部折返しが少なくとも一部分、前記トレーの第１の横方向壁を形成している。
【００８６】
−  第２のカット部材は、３つのパネル、つまり、前記予めカットされた側方部分を介して又は接着点を介して第１のカット部材のサイドフラップと一体化解除されるように、ケースの側壁を少なくとも一部分形成する２枚のサイドパネルに対して第３の折り線によって側方に連結されたケースの上部部分の上部面を形成する中央パネルを有している。
【００８７】
有利には、パネルは、前記パネルの両側にある２組の側方折返しを含んで成り、これらは、第１のカット部材の前記第２の折り線に対面して位置づけされた第４の折り線により連結されている。
【００８８】
有利には、第４の折り線は、第２の折り線との関係において、ケースの上部部分がトレー内部によりうまく位置づけられるようにするため、内部に向かってボール紙の厚みだけずらされている。
【００８９】
−  予めカットされた側方部分は、閉鎖線に沿ってカットされている。
【００９０】
−  予めカットされた側方部分は、第２のカット部材のサイドパネルに属する。
【００９１】
−  包装材料の長手方向軸との関係において対称な２つの予めカットされた側方部分が存在する。
【００９２】
−  包装材料の長手方向軸との関係において２つずつ対称になった４つの予めカットされた側方部分が存在する。
【００９３】
−  第２のカット部材は、第１のカット部材の第２の折り線に対して平行な第４の折り線によりそれぞれ互いに連結された少なくとも４枚のパネル、及び端部接着用タブを有し、４つのパネルは、第１のカット部材とは反対側にある１組の折返しを含む。
【００９４】
−  予めカットされた側方部分は、第１及び第２の折り線の間の接合部から第１のカット部材の外側に向かって斜めに、例えば対応する折り線との関係において５〜３０°の間の角度を成して出発している。
【００９５】
−  上部部分は、予めカットされた垂直折り線により長手方向壁から分離された又は分離可能である底部垂直壁を有し、トレーの中央フラップは、予めカットされた折り線により前記底面に連結され前記底部垂直壁に接着された中央横方向フラップを有している。
【００９６】
かかる措置は、トレーの底部壁及び上部部分の完全な同時剥取りを可能にし、ケース内に入った製品の外部面を完全に解放し、かくしてトレー及び上部部分の水平引張り力による取外しが可能となる。
【００９７】
−  第１のカット部材の各フラップは、１つの底部横方向フラップすなわち中央フラップに連結され２つの予めカットされた底部部分の備わった中央フラップ及び、サイドフラップに連結され前記予めカットされた底部部分上に接着された２つの側方折返しを有する。
【００９８】
かかる措置は、底面との関係におけるボール紙の肥厚を呈することなく底部中央折返しを平らに置き直すことを可能にし、このとき予めカットされた部分は、トレーの長手方向垂直壁の延長部分内に側面上に引っ込められる側方折返しに接着された状態にとどまる。
【００９９】
有利には、上部部分は、第３のものに連結されたふいご状になった２つの折返しを含む３つの折返しで形成された１つの底部横方向壁を有する。
【０１００】
換言すると、それぞれ第２のカット部材のサイドパネルに属する２つの側方折返しは、各々、第３及び第４の折り線の間の接合部から外向きに第４の折り線から出発して４５°の角度を成す１本の折り線を有する。
【０１０１】
かかる措置により、ケースの中身上で水平に滑動できかくして先行技術の場合のように上からだけではなく水平にもケースの上部部分を引き抜くことができるようにする折り返を自動的にトンネル形に形成することが可能となる。
【０１０２】
本発明は同様に、前述のタイプのケースを得るためのカット部材アセンブリをも提案している。
【０１０３】
本発明は同様に、各々１つの中央パネル又はフラップ及び２つのサイドパネル又はフラップで形成された２つのカット部材すなわちトレーを形成することを目的とする第１のカット部材及びケースの上部部分を形成することを目的とする第２のカット部材を有し、前記カット部材は、そのそれぞれのサイドパネル及びフラップで、カット部材のうちの１つに属しもう１つのカット部材に接着されるための少なくとも２つの側方の予めカットされた部分を介してのみ互いに一体化され得るようになっていることを特徴とするケース製造用のカット部材アセンブリをも提案する。
【０１０４】
有利には、第１のカット部材の中央フラップは、２つの予めカットされた底部部分の備わった前記底面の延長部分内に中央折返しを含み、第１のカット部材のサイドフラップは各々、前記予めカットされた底部部分上にそれぞれ接着され得る側方折返しを含んで成る。
【０１０５】
同様に有利には、第２のカット部材の中央パネルは、予めカットされた２つの蓋部分の備わった前記パネルの延長部分内に中央折返しを含み、第２のカット部材のサイドパネルは、前記予めカットされた蓋部分上にそれぞれ接着され得る側方折返しを各々１つずつ含む。
【０１０６】
有利な１実施形態においては、第１のカット部材及び第２のカット部材は、各々単数又は複数の折返しの組を１つずつ含み、該組はそれぞれ、予めカットされた折り線により対応するフラップ及びパネルに連結されている。
【０１０７】
もう１つの有利な実施形態においては、第１のカット部材は、３つの予めカットされた折返しを含み、第２のカット部材は、予めカットされた折り線によって前記ケースの底面を形成するためのパネルに連結された折返しを備えたもの１枚を含めた少なくとも４枚のパネルを含んで成る。
【０１０８】
本発明は、制限的意味のない一例として示されている実施形態についての以下の説明を読むことによってより良く理解できることだろう。
【０１０９】
説明は、添付図面を参考にしている。
【０１１０】
図１は、段ボール例えば厚み３mmの両面段ボールのシート材料でできたカット部材から形成された２つの部分すなわち矩形トレー２及び蓋３から成る平行六面体のケース１を示す。
【０１１１】
該ケースは、トレーの第１の矩形壁５及び対面する蓋の第１の矩形壁の例えば４つの「ホットメルト」接着剤の線による互いに重ね合わせた接着によって形成される矩形又はほぼ矩形の剥取り可能な第１の横方向側壁４を有している。
【０１１２】
蓋の第１の壁６は、例えば壁の高さの約４/５のところ又は蓋の上面近くで壁を貫通して横断する予めカットされた線７によりケースの上部部分と連結されており、例えばユーザーが２本の指を滑り込ませて剥取りを開始させその後に手全体で壁を捕捉できるようにする半月形で形成された、線の中央にある１つのくり抜き部７′を含んでいる。
【０１１３】
トレーの第１の壁５は、図３の第１のカット部材上に表わされているようにケースを形成する部分的に予めカットされた３本の折り線８，９によってか又は底面との唯１本の予めカットされた接合折り線９′によって（なおこのとき第１の壁のその他の縁部８′は自由である）、隣接する側面及びトレーの底面に連結されている。
【０１１４】
部分的に予めカットされた線（本書本文中では単に予めカットされた線とも呼ばれる場合もある）は、ミシン罫カッターブレードを用いてボール紙に点線状に穿孔することによって得られる。従って、点線は、切断部と呼ばれる穿孔された線と連携点と呼ばれる穿孔されていない線の交替によって構成される。
【０１１５】
２つの連携点を離隔する距離、換言すると切断長はＤ１と呼ばれ２つの切削罫を離隔する距離、換言すると連携点長さはＤ２と呼ばれることから、穿孔プロフィールは、Ｄ１及びＤ２に対応する一続きの２つの数字により定義づけされる。
【０１１６】
紙の性質又は坪量、ならびに段ボールの厚みに応じて、包装材料の充分な堅牢性を保ちながら容易な剥取りを可能にするために考えられる最良の妥協点を見い出すまで、Ｄ１及びＤ２の値を変動させる。
【０１１７】
有利には、前述のようにより脆性の高い点又は硬い点を作り出すため同じ予めカットされた線上でもＤ１及びＤ２を変動させることになる。
【０１１８】
なおケース１は、その他の３つの矩形側方壁１０，１１及び１２つまり２つの長手方向側壁１０及び１１と１つの第２の横方向側壁１２を有している。
【０１１９】
より厳密に言うと、同様に図２及び３を参照すると、ケースは２つのカット部材すなわち、トレーの一方の端部にあり３辺で自由であるもの１６及びもう一方の端部の側にあり２辺で自由であるもの１７を含む２つの矩形又はほぼ矩形の部分的に予めカットされた部分１６及び１７を各々備え第１の折り線により中央フラップ１４に連結されている２つのサイドフラップ１５をこの中央フラップ１４と共に含む第１のカット部材１３＜原文抜け、第２のカット部材がない＞で形成されている。
【０１２０】
部分的に予めカットされた部分（これも又本書本文中ではより単純に予めカットされた部分と呼ばれる場合がある）とカット部材の残りの部分の間の接合線１８は、例えば値Ｄ１がＤ２よりも大きい状態で設けられている。
【０１２１】
トレーは、すでに見てきたように、２つの第１の側方折返し１９（ここでは図３には欠如している）及び第１の側方折返し５を含みうる第１の１組の折返し１９を含んで成る。
【０１２２】
トレーは同様に、垂直な第２の折り線によりそれ自体既知の要領でフラップ及び／又は互いの間で連結された第２の１組の折返し２０をも含んで成る。
【０１２３】
単数又は複数の折返しは、第２の予めカットされた折り線８，９又は９′により、対応するフラップ及び／又は第１の主要折返しに連結されており、これらの折返しはケースの第１の剥取り可能な壁を一部形成することができる。
【０１２４】
第２のカット部材２１（図３参照）はというと、これは互いに２つずつ第３の平行な折り線２３，２３′によって連結された４つの矩形パネル２２と１つの接着用タブ２２′，及びうち１つが部分的に予めカットされた線７により隣接パネル２２に対し帯状部２６を介して連結されるようになっていて蓋の上面を形成することのできる２つずつ同一の１組の矩形折返し２４，２５を含んで成る。
【０１２５】
前記折返しに隣接するパネルはそれ自体、トレーの線８′又は８と重ね合わされた予めカットされた折り線２３′によって、その隣接パネルに連結されている。
【０１２６】
下部部分で例えば接着線２７（図１参照）によりトレーの中央折返し５上に接着されたパネル２２によって形成された前面は、接合線又は予めカットされた稜を考慮すると、矢印２８の方向に完全に剥取り可能である。
【０１２７】
蓋と中央パネルの間の接合線のレベルに設けられた捕捉用オリフィス７′のおかげで、実際、ケースが閉じられ接着された時点でケースの前面全体をモノブロックとして捕捉し次に剥取ることが可能である。
【０１２８】
例えばもう一方の側で取っ手（図示せず）により捕捉できるトレーは、その時点から、それを水平方向に引張ることによって取外すことができるようになり、次に、第１の剥取り可能な組１９のもう一方の側にあるその下部部分で捕捉できる上部部分つまり蓋を取外すことができる。
【０１２９】
図４は、両側で第１の折り線３３により矩形サイドフラップ３４に連結された１枚の矩形中央フラップ３２，及び第１の折り線に対し垂直な第２の折り線３７及び３８により前記フラップに連結されている同一の小さい２組の矩形折返し３５及び３６，すなわち剥取り可能なパネルを一部形成することのできる本発明に従った法線方向折り線３７を伴う組３５及び部分的に予めカットされた折り線３８を伴う組３６を含んで成る、矩形トレーを形成できる第１のカット部材３１を含んで成る。
【０１３０】
カット部材アセンブリは同様に、３つの矩形パネル４１，４２及び４３，すなわち蓋の上面を形成するための１枚のパネル４１及び蓋の横方向側面を形成するための２枚のパネル４２及び４３で形成された第２の蓋カット部材４０をも有している。
【０１３１】
ケースの底部横方向側面を形成するためのパネル４２は、垂直な折り線４２′によって中央パネルに連結されている。
【０１３２】
パネル４２は、有利には、くり抜き部によって形成された捕捉用取っ手４５及び本発明に従うと中央にあり矩形でパネルの縁部上に開放し、第１のカット部材の折返しの組３５の主要折返し上に接着されているか又は接着され得る部分的に予めカットされた部分４６を有している。
【０１３３】
パネル４３はというと、これは、１組の折返し３６と共にケースの第１の剥取り可能な壁を形成することを目的としている。
【０１３４】
このパネルは、捕捉用の中央オリフィス４５が備わり部分的に予めカットされた，蓋の上面との上部接合線４４，４４′又は４４″を有する。
【０１３５】
線４４は、パネル４３の中に位置づけされ、例えば、剥取り後に帯状部を残すことを可能にする上方に向いたわずかな曲率半径を伴って、このパネルを貫通して横断している。
【０１３６】
上部接合線のもう１つの実施形態である線４４′の方はということ、これはケースの折り線又は稜と合流し、第３の実施形態である線４４″は、ケースの角の各側から出発し、次に、かくしてパネルと同時に部分的に剥取られるカバー上面の中に位置づけられ、例えば等脚台形の形をしている。
【０１３７】
中央パネル４１及びサイドパネル４２及び４３は各々、折り線により対応するパネルに連結された２組の矩形側方折返し４９，５０及び３１を含んで成る。
【０１３８】
１組の折返し４９は、剥取りを可能にするため部分的に予めカットされた折り線５２により上部接合線４４，４４′又は４４″との接合部に至るまでパネル４３に連結されている。
【０１３９】
図５及び６には、帯状部２６を用いた図１及び２の実施形態に従ったケース１の開梱の３つの主要段階を表わした。
【０１４０】
まず最初に、パネル又は第１の横方向側壁４を剥取る（矢印２８）。
【０１４１】
次に、上部部分５５を保持することにより帯状部２６が揺動を妨げている該製品５４の脚部の下でトレー２を引張る（矢印５３）。
【０１４２】
次に、水平方向に引抜く（矢印５６）前に、傾動により蓋３を旋回させることにより帯状部を引っ込める。
【０１４３】
図７〜１３はケース６０及び対応するカット部材アセンブリ６１を示している。
【０１４４】
アセンブリ６１は、例えば２つの異なる高さの部分を含む、前記カット部材の長手方向軸との関係において対称な２つのサイドフラップ６４に連結された１つの矩形主要フラップ６３を備えた第１のカット部材６２を含んで成る。
【０１４５】
各サイドフラップ６４には、例えば対応するフラップのほぼ中心で異なる高さの２つの部分の間の接合のレベルでサイドフラップ６４の周囲の開放縁部に配置された、例えば菱形の形をした部分的に予めカットされた部分６６が備わっている。
【０１４６】
なお各フラップは、両側に１つの矩形側方折返しすなわち、一方の側には折返し６７，６８，もう一方の側には折返し６９，７０を有している。折返し６９及び７０は、部分的に予めカットされた折り線７１により隣接フラップに連結されており、折返し６７及び６８は法線７２により連結されている。
【０１４７】
第２のカット部材７３はというと、これは３枚のパネルすなわち１枚の矩形中央パネル７４及び、カット部材の長手方向軸７６との関係において対称な２枚の矩形サイドパネル７５を含んで成る。
【０１４８】
各パネルは、両側に矩形折返しを有する。
【０１４９】
より厳密に言うと、中央パネル７４及びサイドパネルはそれぞれ、一方の側に矩形折返し７６及び７７を、そしてもう一方の側に折返し７８及び７９を含んで成る。
【０１５０】
折返し７８及び７９は、部分的に予めカットされた折り線８０により対応するパネルに連結されている。
【０１５１】
ケースの開梱に際しては、予めカットされた折り線により互いに離脱する、互いに接着させられた蓋の折返し７８，７９及びトレーの折返し６９，７０により形成された壁８１をモノブロックで剥取ることが可能であり（図８参照）、こうして側方離隔による部分的に予めカットされた部分の離脱後（図９，矢印８４），図１１に矢印８３に示されているように上部部分又は蓋上に水平に引張ることにより製品８２を側方に退出させることができるようになる。
【０１５２】
ここで図７〜１２を参考にして、本発明の有利な実施形態に従ったケースの開梱方法について記述する。
【０１５３】
作業員は、トレーのレベルでも上部部分のレベルでも予めカットされた折り線によってのみ包装材料の残りの部分に連結されているケースの前面８１全体を一気に剥ぎ取る。
【０１５４】
次に、トレーのサイドフラップが親指で一体化解除されるが、このとき予めカットされた部分６６はサイドパネル７５に接着した状態にとどまる。
【０１５５】
その後、トレーを、取っ手８５を用いて製品の下で引張る。
【０１５６】
最後に、同様に上部部分を、例えば後部面（図示せず）内に設けられたくり抜き部を用いて水平方向に引張る（図１１，矢印８３）。
【０１５７】
図１４，１５，１６及び１７は、アセンブリ１０１つまり、ケース１０６を形成するための例えば厚み２mmの両面段ボールシート製カット部材アセンブリの異なる要素を示している。
【０１５８】
これらの図については、同一の又は同じ位置を占めているケース及び／又はカット部材の要素を呼称するのに同じ参照番号が利用されることになる。
【０１５９】
このアセンブリ１０１は、トレーを形成できる第１のカット部材１０２及びケースの蓋を形成できる第２のカット部材１０３を有する。
【０１６０】
第２のカット部材は第１のカット部材に対し平らに積重ねられ、ひとたびケースが形成された時点でケースの内部ベルトを形成できるものである。
【０１６１】
第１のカット部材１０２は、一連の４つのフラップすなわち、正面フラップと呼ばれる２つのフラップ１０４″及び１０４″′と交互に配置されたサイドフラップと呼ばれる２つのフラップ１０４及び１０４′を有しており、これらのフラップは、図１４に一点鎖線及び鎖線でそれぞれ表わされていて互いに平行な第１の折り線１０５及び１０５′により互いに連結されており、この一連のフラップは、４辺をもつトレー１０６の外部壁を形成することができる（図１６参照）。
【０１６２】
より厳密に言うと、フラップ１０４及び１０４′は、直角台形の形をしている。
【０１６３】
これらのフラップは、トレーの前面を形成する矩形正面フラップの高さよりも高いトレーの後部面を形成する矩形正面フラップ１０４″との関係において対称である。
【０１６４】
フラップ１０４と１０４″′の間の折り線１０５′は、接着用タブ１０４ａと隣接フラップ１０４′の間の折り線１０５′と全く同様に予めカットされており、これが第１の壁の剥取りを可能にする。
【０１６５】
もう１つの実施形態においては、予めカットされている（換言すると部分的に予めカットされている）すなわち切断された部分が連携点と隣接した状態にあるのは、フラップ１０４″とフラップ１０４及び１０４′の間の折り線１０５であり、この場合、剥取り可能とされているのは後部面である。
【０１６６】
フラップ１０４及び１０４′はというとこれらは、フラップ１０４″と反対の方向に向けられた下向き斜めの周囲上縁部１０７及び１０７′を有している。
【０１６７】
タブ１０４ａは矩形で、短辺の高さ全体にわたって延びている。
【０１６８】
なお、一連のフラップ１０４，１０４′，１０４″，１０４″′は、その下辺上に、第２の折り線１０９及び１０９′を介して第１の一連の矩形折返し１０８を備えている。
【０１６９】
折返し１０８は、既知の要領でトレーの底面１０８′（図１５参照）を形成することを目的としており、ここで前記折返しのうちの２つがそれらの外縁で接触して密閉底面を形成することになる。
【０１７０】
フラップ１０４″′と対応する折返しの間の折り線１０９′は予めカットされている。
【０１７１】
第２のカット部材１０３は、第１のカット部材のフラップとの区別をより明確にするため以下ではパネルと呼ばれる４枚の矩形フラップを有する。
【０１７２】
つまりこれは、１枚の第１の中央矩形パネルと、互いに第３の折り線１１４及び１１４′により連結された３枚の二次的矩形パネル１１１，１１２及び１１３，すなわち両側で中央パネル１１０に連結された２枚のパネル及び予めカットされた折り線１１４′によりパネル１１２のもう一方の側に連結された端部パネル１１１のことである。
【０１７３】
カット部材１０３は、第１の線１１４に対し垂直な第５の折り線１１６及び１１６′により隣接パネルに連結され箱の蓋１１５′を形成することを目的とする、第１の一連の折返し１０８と同一の第２の一連の折返し１１５を含み、ここでパネル１１１とその折返しの接合折り線１１６′は予めカットされている。
【０１７４】
なお、予めカットされた折り線１１４′により、折り線１１６の側にあるその高さの一部分のみにわたり端部パネル１１３に連結された状態で、端部タブ１１３ａが具備されている。
【０１７５】
タブ１１３ａは、タブ１０４ａと同じ側に設置され、その長さは例えば、パネル１１３の高さからタブ１０４ａの長さに等しい又はそれよりわずかに長い長さだけ短縮したものに等しい。
【０１７６】
タブ１０４ａ及び１１３ａは同様に、同じ側にあるものの互いに重なり合うことなく（図１５参照）、形成されたカット部材に対面して壁上に再度閉じられるように、又本発明に従って剥取ることができるように具備され配置される。
【０１７７】
有利には、２つのカット部材の折り線１１４，１１４′及び１０５，１０５′は、折畳みの際にボール紙の肥厚を吸収するように配置された状態で、平行でかつずらされている。
【０１７８】
なお、トレーは、フラップ１０４，１０４′の縁部１０７，１０７′から完全に距離をおいて位置づけされた閉鎖線１２０及び１２１状の例えば楕円形の２つの予めカットされた部分を有している。
【０１７９】
従って図１６及び１７を参照すると、トレーは、予めカットされた折り線１０９及び１０９′により対応するフラップに連結された、底面を形成する第１の１組の折返し１０８を含んで成る。
【０１８０】
同様に、第２のカット部材１０３は、うち１本１１６′が予めカットされている折り線１１６によって対応するパネルに連結された４つの矩形折返し１１９を含んで成る。
【０１８１】
中央パネルとの折り線のレベルには捕捉用オリフィス１２２が設けられ、このため、ケースが閉じられ接着された場合に、壁を掴んで矢印１２３に沿ってケースの前面全てをモノブロックで剥取ることが可能となる。
【０１８２】
例えば取っ手１２４（くり抜き部）によりもう一方の側で掴むことのできるトレーは、その時点から、前述した通り取出し可能となり、その後、第１の剥取り可能な組のもう一方の側に位置づけされた折返しの下部部分によって捕捉可能である上部部分を取外しすることができる。
【０１８３】
図１６及び１７上には、水平方向の接着線を表わした。ここでフラップ１０４″′は、垂直パネル１１１上に接着されている。
【０１８４】
予めカットされた部分１２０はというと、これらはトレーの中心に付近に設けられており、このため、トレーを通常良い位置に保持する側方折返しが欠如している場合の開口が避けられる。
【０１８５】
部分１２０は同様に有利には、開放線状であってもよい。
【０１８６】
図１８には、形成されたケースの充てんを可能にするためその折返し１３３が開放されている、トレーを形成する第１の要素１３１と上部部分を形成する第２の要素１３２を含む本発明の１実施形態に従った８面ケース１３０を表わした。
【０１８７】
このケースは、ここで記述されている本発明の実施形態に従うと、ひとたびタブが対面する壁上に接着された時点で剛性でかつ折り曲げ可能であり、面取りされたコーナーをもつ面３８の剥取りを可能にする予めカットされた折り線１３４，１３５，１３６，１３７を含んで成る。
【０１８８】
例えば第２の要素１３２のパネル内の両側で、トレーの上部部分のレベル及びそれより少し上のところでくり抜き部１３９が設けられており、このため、第１の要素との関係におけるその連結解除の後の前記第２の要素の引抜きが容易になっている。
【０１８９】
図１９には、図１８上に示されるものと同じタイプの８面ケースを得ることを可能にする本発明に従ったアセンブリの第１のカット部材１４１及び第２のカット部材１４２の一実施形態を表わした。
【０１９０】
第１のカット部材１４１は、一連の８枚のフラップ１４３及び矩形接着用タブ１４４，（フラップとタブは、互いに平行な折り線１４５及び１４５′により互いに連結されている）、すなわち４つの主要フラップ１４６，１４７，１４８及び１４９及び４つの中間フラップ１５０，１５１，１５２及び１５３を含んで成る。
【０１９１】
主要フラップ１４６，１４７，１４８及び１４９は、第２の折り線１５４及び１５４′により一連の折返し１５５に各々連結されており、前記第２の折り線は第１の折り線に対し垂直である。
【０１９２】
２つのうち１つの折返しは、ほぼ矩形の形をしており、その２つの側面は少なくとも部分的に第２の折り線から前記折返しの外部に向かって斜めになっており、該第２の折り線１５４，１５４′は互いとほぼ整列しているか又は完全に整列している。
【０１９３】
他の２つの折返しはというと、これらは矩形である。
【０１９４】
より厳密と言うと、主要フラップは２つの矩形フラップすなわち第１の小さな矩形中央フラップ１４７及び一方の端部の側に位置づけされた第２の大きな矩形フラップ１４９，そしてほぼ直角台形の形をした２つの主要フラップすなわち共に小さなフラップ１４７との関係において対称で小さな矩形フラップ１４７から外側及び上方に向けられた斜め側面１４６′及び１４８′をそれぞれ有する第１のフラップ１４６と第２のフラップ１４８で構成されている。
【０１９５】
主要フラップは、上述のように矩形又はほぼ矩形の二次的フラップによって分離されており、前記二次的フラップには折返しが欠けている。
【０１９６】
ここでより特定的に記述されている本発明の実施形態に従うと、主要フラップ１４６は、第２のカット部材１４２に対応するケースの上部要素のまわりにトレーを形成する際に肥厚を吸収できるようにする、くり抜き部１５７によって延長された又はされていない離脱可能な部分１５６を有している。
【０１９７】
フラップ１４８自体も又、１つの離脱可能な部分１５６′を有しているが、これはこの実施形態においては必ずしもくり抜き部で延長されていない。
【０１９８】
中間フラップ１５０及び１５１は、予めカットされた折り線１４５′により隣接する主要フラップ１４６及び１４８に連結され、矩形折返しは、予めカットされた折り線１５４′によりフラップ１５４に連結されている。
【０１９９】
カット部材４２は、矩形の固定用タブ１６８で終わる、一連の８枚の矩形フラップ１６０，１６１，１６２，１６３，１６４，１６５，１６６及び１６７を含んで成る。
【０２００】
フラップは、互いに平行な第３の折り線１６９，１６９′により互いに及びタブに対して連結されている。
【０２０１】
より厳密に言うと、これらのフラップは、３つの二次的フラップ１６１，１６３，１６５によって２つずつ分離された４枚の主要フラップ １６０，１６２，１６４，１６６によって構成され、最後のフラップ１６６には、折返しが平らである場合一連のフラップの端部に配置され矩形タブ１６８と連結された端部フラップ１６７が備わり、このフラップ１６７は箱が形成された時点でこのタブ上に接着される。
【０２０２】
タブ１６８は、フラップ１６０との関係において折り線１７１の側に位置づけされ、その上縁部１７１′は、前記折り線１７１の延長部分内にある。
【０２０３】
タブ１６８は、例えばカット部材が組立てられた時点でタブ１４４を被覆しないように配置された１定の高さにわたって、延びている。このタブは例えば、フラップ１６０の高さの半分に等しく、タブ１４４はこの寸法よりもわずかに小さい高さをもつ。
【０２０４】
カット部材１４１の場合と同じ要領で、カット部材１４２は、一連の折返し１５５との関係においてもう一方の側に位置づけされた状態で、第３の折り線１６９に対し垂直な第４の折り線１７１，１７１′によって主要フラップに連結された一連の折返し１７０を有している。
【０２０５】
この一連の折返しは例えば、カット部材１４１に関連して記述された一連のもの１５５と同一である。
【０２０６】
ここで記述する実施形態においては、離脱可能な壁は、第２のカット部材についてはフラップアセンブリ１６１，１６２，１６３により構成され、第１のカット部材についてはフラップアセンブリ１５０，１４７，１５１により構成されている。
【０２０７】
これら２つのアセンブリは、互いに接着により固定され、隣接する主要フラップ及び折返しに対し予めカットされた折り線１４５′又は１６９′，及び１５４′又は１７１′により連結されている。
【０２０８】
なお、第１のカット部材の折り線１４５は有利には、肥厚を吸収するため第２のカット部材の折り線１６９との関係においてフラップ１６４とは反対側で漸進的にずらされた状態で具備され設置されている。
【０２０９】
ずれの計算は、それを８フラップの場合に適合させることによって、既知の要領で行なわれる。
【０２１０】
部分１５６及び１５６′ならびにフラップ１４７は、対面する第２のカット部材のフラップ１６０及び１６４及び１６２の上に、接着（例えば「ホットメルト」）によって固定される。
【０２１１】
ケースが形成された時点で、タブ１４４はフラップ１５３上に接着され、タブ１６８はフラップ１６８の外側上に接着され、折返し５５は互いに合わせて接着される。
【０２１２】
図２０〜２３は、本発明のもう１つの実施形態を示す。
【０２１３】
第１のカット部材２５１（図２２参照）は、面取りされたコーナーをもつ八角形又は矩形の中央フラップ２５２及び第１の折り線２５３′により中央フラップの長手方向縁部に再度結びつけられた２つの矩形サイドフラップ２５３を有する。
【０２１４】
この実施形態においては、中央フラップ２５２は両側に、トレーの面取りされたコーナー２５８を形成するもの（図２０参照）を１つ含む、隣接する折返しに対し互いに平行な第６の折り線２５７により連結された端部折返し２５５及び２５６を含んで成る。
【０２１５】
第２のカット部材２５９（図２１参照）は、それ自体、互いに平行な第５の折り線２６２によって互いに連結された４つの矩形主要パネル２６０及び４つの中間パネル２６１，そして相対する端部中間フラップ上への接着のための端部タブ２６３を含んで成る。
【０２１６】
このカット部材は、さらに、相対するそのうちの２つのものについて、ケースが形成された時点で面取りされたコーナーと並んで垂直になるように外側に向かって少なくとも一部分斜めになって出発する側縁部を呈するほぼ矩形の１組の折返し２６４を含んで成る。
【０２１７】
２つの相対する主要パネル（隣接していない）２６０は各々、その下部周縁部２６５上に開放線状で関連パネルとの関係において心出しされた状態で、例えば矩形の予めカットされた部分２６６を含んで成る。
【０２１８】
部分２６６は、サイドフラップ２５３により形成された壁の内部面上に接着されるようになっており、こうして図２０に示されたような引抜きが可能となる。ここで、縁部２６５は、中央フラップ２５２とサイドフラップ２５３を結ぶ第１の折り線２５３′との関係において合流しているか又はボール紙の厚みだけ又はかなりずらされている。
【０２１９】
上部折返しとのパネル２６０の水平折り線２６１ならびに一方では横方向フラップ２５４間そして他方では小さな端部折返し２５５及び２５６間のトレー２５１の対応する折り線と全く同様に、蓋を形成する第２のカット部材２５９の中央パネル２６０及び隣接する２つの面取りされたコーナーの垂直折り線は、本発明に従って予めカットされている。
【０２２０】
得られたケース２６７は有利にはマンドレルのまわりに取付けられ、図２３に示されているように第１のカット部材に予め接着された第２のカット部材２５９は、８面マンドレルのまわりに巻きつけられ、次に、第１のカット部材がまずは中間フラップ２６１で形成された面取りされたコーナー上そして次に隣接するサイドフラップ上に押しつけることにより、端部折返し２５６の接着に伴ってマンドレル底面上に折返される（図２０参照）。
【０２２１】
図２４は、前述のタイプのトレー３０２の備わった、本発明のもう１つの実施形態に従ったケース３４０を示す。
【０２２２】
上部部分３４１はここではモノブロックであり、剥取り可能な面は、唯一、包装材料の下部部分の剥取り可能な部分だけである。
【０２２３】
ケースの図２５，２６及びカット部材の図２７，２８は、うち一方３４５がトレーの片端にあり３辺が自由でありもう一方３４６が２辺で自由であって予めカットされた部分１７又は６６に類似している、矩形又はほぼ矩形の２つの予めカットされた部分３４５及び３４６を各々備えた２つのサイドフラップ３４４を含む第１のカット部材で形成されたトレー３４３を含むケース３４２を示している。
【０２２４】
トレーは、第１の１組の折返し３４７すなわち中央側方折返し３４８に接着された２つの側方折返し（ここで図には示されていない）及び／又は唯一の中央側方折返し３４８（図示された実施形態）を含んで成る。
【０２２５】
単数又は複数の折返しは、予めカットされた折り線３４９により対応するフラップに連結されている。
【０２２６】
同様に、第２のカット部材３５０は、予めカットされた 折り線３５３により対応するパネルに連結された３つの矩形折返し３５１及び３５２を含む。
【０２２７】
捕捉用オリフィス３５４が中央パネルとの折り線のレベルに設けられており、これにより、ケースが閉じられ接着された時点で矢印３５５に沿ってケースの前面全体をモノブロックで剥ぎ取ることができる。
【０２２８】
例えば取っ手３５６によりもう一方の側で掴むことのできるトレーは、その時、前述のとおり取出すことができるようになり、次に第１の剥取り可能な組のもう一方の側にある折返しの下部部分によって掴まれ得る上部部分を取外すことができる。
【０２２９】
図２５及び２６には水平な接着剤の線を表わした。折返し３４８は、パネルの中央折返し３５１と全く同じように、垂直折返し３５２上に接着されている。
【０２３０】
予めカットされた部分３４５はそれ自体、トレーよりもかなり前方に設けられ接着されており、かくして、通常トレーを良い位置に保持する側方折返しが欠如している場合の開口が回避される。
【０２３１】
図２９〜３２は、本発明に従ったもう１つの実施形態を示す。
【０２３２】
図３０は、図２７を参考にして記述されたものと同一の第１のカット部材３４３を示す。
【０２３３】
第２のカット部材３５９（図２９参照）の方は、平行な第３の折り線３６１，３６１′によって互いに連結された４つの矩形パネル３６０，及びうち１つ（３６３）が包装材料の前面に来るように設けられ予めカットされた折り線３６６により隣接フラップ３６０に連結されている２つずつ同一である１組の折返し３６２，３６３，３６４，３６５を含んで成る。
【０２３４】
前記隣接フラップはそれ自体、予めカットされた折り線３６１′によりその隣接フラップに連結されている。
【０２３５】
ここでも又、フラップの中央折返し３４８上に例えば接着線３６８（図３２参照）によって下部部分で接着されたパネル３６０によって形成された前面は、予めカットされた 折り線又は稜を考慮すると、矢印３６９に沿って完全に剥取り可能である。
【０２３６】
図３３は、複数の段階Ａ〜Ｆでの本発明に従った包装材料の形成、そしてその後の、トレーを形成するための第１のカット部材４００と蓋を形成できる第２のカット部材４０１に基づいた陳列（段階Ｇ〜Ｊ）についてのもう１つの実施形態を示す。
【０２３７】
第１のカット部材４００は、第１の折り線４０５によって互いに連結された、大きな寸法（中身のサイズ）の一連の３つの矩形フラップ４０２，４０３，４０４を含んで成る。
【０２３８】
この一連のフラップは、４０６の組については部分的に予めカットされた接合線４０８によって又４０７の組については垂直な折り線４０９によって対応するフラップに両側で連結されている２組の矩形折返し４０６及び４０７を含んで成る。
【０２３９】
より厳密に言うと、４０６の組の折返しは、例えば中央折返しに向かって位置づけされ中央折返しに対面して部分４１１に接着された状態にとどまることのできる予めカットされた接着用ラグ４１０を各々備えた２つの側方折返しを含んで成る。
【０２４０】
中央折返しと対応するフラップの間の接合線は、例えば、フラップ４０３上にその頂点があり側方分岐が折返し内にある折り線上にまたがったΩの形をしている。
【０２４１】
折返しの組４０７はそれ自体、各々その外端部に、２つの開放した予めカットされた部分４１３を備えた２つの側方折返し４１２を含んで成る。
【０２４２】
第２のカット部材４０１は、それ自体３つのフラップすなわち、１つの第１の上面フラップ４１４及び例えば図２７を参考にして記述されたタイプの２つの小さなサイドフラップ４１５を有する。各フラップ ４１４，４１５は、両側にある２つの小さな矩形折返し４１４′，４１４″及び４１５′，４１５″を有し、折返し４１４′及び４１５′は予めカットされた折り線によりフラップに連結されている。
【０２４３】
ここで、段階Ａ〜Ｆを参考にしながらケースの形成について記述する。
【０２４４】
ブランクつまりカット部材４００は平らにされ、次にのり付けの後、側壁４０２及び４０４を起き上がらせて形作られ（段階Ｂ），開放したケース４１７を形成する（段階Ｃ）。４０６及び４０７の２組の側方折返しは、折返しが縁どおし合わさって完全な面を形成するため、中身４１８の半分に等しい幅を有する。
【０２４５】
このとき、中身４１８（ここでは積重ねられた矩形の箱４１９）がケースの中に導入され（段階Ｄ）、次に上からカット部材４０１が置かれて、中身の上縁部と一致するフラップ４０２及び４０４により形成された垂直壁の周縁部を覆うことになる。
【０２４６】
このとき、フラップ４１５及び折返し４１４，４１４″，４１５′，４１５″は、かくして閉鎖されたケース４２０の上縁部上に折返され接着される（段階Ｆ）。
【０２４７】
壁４２１は、その陳列に際して剥取られるが、これは、予めカットされた折り線及び／又は接合線によって可能となる。
【０２４８】
次に、ブランク４０１によって形成され、棚上では下部部分となるトレーを形成する蓋部分が引き出される（段階Ｈ）。これは、壁４０２及び４０４上に接着された予めカットされた部分４１６の一体化解除のおかげで可能となっている。
【０２４９】
その後、上部部分４２２はトレーと同じ側へ取外され、中身４１８はかくして棚上に解放される。
【０２５０】
図３４及び３５上には、今度は中身５００のまわりでの包み込みの原理を利用した、本発明に従ったもう１つのケース収容方法を表わした。
【０２５１】
下部部分又はトレー５０１は、例えば図４のトレー３６を参考にして記述したタイプのものである。
【０２５２】
これは、予めのり付けされており、その後例えば前もって形成されるか或いは又中身５００のまわりに巻き付けられる。
【０２５３】
同様にして、蓋を形成する部分５０２は、３つの大きなフラップ５０３，５０４，５０５，すなわち蓋の上面を形成するフラップ５０４及び中身５００の高さのサイズをもつ２つの矩形サイドフラップ５０３，５０５を含む。
【０２５４】
フラップ５０４は、図３３を参考にして記述されたカット部材４００と類似の要領でΩ状の予めカットされた接合線５０６によってフラップ５０３に連結される。
【０２５５】
フラップ５０５はというと、これは図４のフラップ４２について記述されたタイプの下部上にのり付けを有する予めカットされた部分５０７を有する。
【０２５６】
なお、大きいフラップ５０３は両側に、トレーの壁の高さの寸法をもつ中身のサイズの矩形の２つの折返し５０８及び５０９を含み、これらの折返しはそれ自体、例えば中身の部分に等しい幅をもつ矩形折返し５１０，５１１を備え、フラップ５０４の片側に位置づけされた折返し５１０は、予めカットされた折り線５１２によって連結されている。
【０２５７】
カット部材５０２は、フラップ５０４及び５０５の下部によりそして１実施形態ではトレーの予めカットされた部分５１３によりトレー上にひとたび接着された時点でケース５１４を形成するため、中身のまわりに巻き付けられる。
【０２５８】
図３５を参照すると、図３４を参考にして記述されたことと類似の要領で、壁５１５は剥取られ、次にトレー５１６が取出されてから、完全に中身を解放するべく蓋５１７が除去される。
【０２５９】
図３６は、本発明の一実施形態に従った機械１１５０の全体図を斜視図で示している。
【０２６０】
より厳密に言うと、同じく図３７を参照すると、機械１１５０は、支持用フレーム１１５１，トレーを形成するためのカット部材１１５３の第１の補給アセンブリ１１５２及び本発明に従った包装材料の上部部分を形成するためのカット部材１１５５の第２の補給アセンブリ１１５４を有している。
【０２６１】
これらの補給実施用アセンブリは、それ自体既知のものであり、吸引用吸盤を介して１つずつカット部材を把握し、次に本発明に従ったカット部材アセンブリがその上で形成されるプラットフォーム１１５６上にこれらのカット部材を傾動させることを可能にしている。
【０２６２】
より厳密に言うと、図３７を参照すると、下部カット部材１１５３はまず最初に、関係する補給アセンブリから引出された後、平らに置かれる。
【０２６３】
その後、予めカットされた部分ののり付けが行なわれ、アセンブリを形成するための第２のカット部材１１５５はこのとき、吸盤付き傾動式補給システム１１５４により取上げられて、精確に置かれ、その後第１のカット部材１１５３上に押しつけられ（プレス１１５７），この第１のカット部材はかくして唯一予めカットされた部分のみを用いて接着により一体化された状態となる。
【０２６４】
その後、かくして形成されたカット部材アセンブリは、平行６面体のマンドレル１１６０の下で例えばこのマンドレルから幾分か距離をとって、例えばシャトルループ式ベルト１１５９で構成された移送手段１１５８を介して水平方向に移動される（図３８）。
【０２６５】
移送中、端部折返し１１６１及び第２の予めカットされた部分は、垂直射出式「ホットメルト」接着剤ガンタイプの手段１１６２によりのり付けされる。
【０２６６】
その後（例えば）第２のカット部材の中央フラップに、例えば欧州特許第０,４６８,８６０号の中で記述されている装置を参考にしてこの中に記述された方法により、マンドレル上で圧力が加えられる。
【０２６７】
同様にして、カット部材アセンブリを次に傾動アームシステム１１６３を介してマンドレルのまわりに巻きとり（図３９参照）、カット部材のフラップ及び／又はパネルは、マンドレル１１６０上にブッシュプレート１１６４を介して加圧され、かくしてケースが一部分形成されることになる。
【０２６８】
同時に、形成されたケース全体の側面を形成するための折返しが、エアシリンダ１１６５を介してマンドレルの底面上に押しつけられる。
【０２６９】
かくしてひとたびケースが形成されたならば、これは、側面から充てん可能なケースを形成するべく排出される。
【０２７０】
ここで特に図３７及び３８を参考にして、本発明の１実施形態に従った方法の各段階について記述する。
【０２７１】
カット部材は、ベルトコンベヤで構成された保管用マガジンの中に置かれる。
【０２７２】
第１の底部カット部材１１５３（トレー）及び第２の本体カット部材１１５４（上部部分）はこのとき持ち上げられる。
【０２７３】
その後、プッシャーと可動ストッパ（図示せず）の間に第２のカット部材１１５４が位置づけされる。
【０２７４】
このとき第２のカット部材は底部ストッパ上に移送され、連接棒／クランクシステム（図示せず）により第１のカット部材上に設置される。
【０２７５】
この移送中、接合ゾーンすなわちここでは第１のカット部材に属する第１の予めカットされた部分は上からのり付けされる。
【０２７６】
その後、接合部レベルでの加圧（プレス１１５７）及びストッパの撤去が行なわれる。
【０２７７】
かくして一体化されたカット部材アセンブリの移送はこのとき、ベルト１１５９のおかげでマンドレル１１６０の下で実施される。
【０２７８】
この移送中にカット部材アセンブリは、折返し及び第２の予めカットされた接合部分上でのり付けが終了する（のり付け機１１６２）。
【０２７９】
その後、被覆アームの上昇によるケースの立体化、下部ホットプレス機１１６６の加圧、第２のカット部材上の第１のカット部材の外部接合パネルの予備折畳み、次に長手方向折返し全体の同時折畳み、そして最後に横方向折返し及び接合パネルの折畳み及び加圧が行なわれる。
【０２８０】
かくしてケースは、逆に折畳まれて立体化される。
【０２８１】
最後に、例えばマンドレルの内部にあるシリンダにより、かくして形成された包装材料の排出が着手される。
【０２８２】
当然のことながら、例えば上から及び下からの持ち上げのために配置されたその他のタイプのマンドレルを利用することも可能である。
【０２８３】
実際あらゆる持ち上げ運動（シリンダによる線形運動又はベルトシステムによる回転運動）が可能である。
【０２８４】
このときこれらのタイプのマガジンの精度は、往復運動タイプつまり据付け位置に応じた取上げゾーンの調節を可能にするタイプの調節によって確保される。
【０２８５】
このタイプの上からの持ち上げによるマガジンは同様に、製品自体のまわりでの被覆（アングロサクソン系用語では「ラップアラウンド」の技術）を含むあらゆるタイプの被覆について利用可能である。
【０２８６】
当然のことながら、又以上のことからもわかるように、本発明は、より特定的に記述された実施形態に制限されるものではない。逆に本発明はあらゆる変形形態、特に２つのカット部材が折畳まれ互いに平らに接着されるような変形形態又はいくつかの予めカットされた部分を介してすでに接着された前記アセンブリからカット部材をトンネル状にするような変形形態を包含する。
【図面の簡単な説明】
【図１】  帯状部を伴う本発明の第１の実施形態に従ったケースの斜視図である。
【図２】  第１の横方向側壁の剥取り及びトレーの取出しの後の図１のケースの蓋の斜視図である。
【図３】  図１のケースと同じタイプのケースを得ることを可能にする一体化解除されたカット部材アセンブリの平面図である。
【図４】  部分的に予めカットされた上部接合線の３つの変形形態を示す、本発明のもう１つの実施形態に従ったカット部材アセンブリの平面図である。
【図５】  帯状部を伴う、図１のケースの開梱を示す、概略的側面図である。
【図６】  帯状部を伴う、図１のケースの開梱を示す、概略的側面図である。
【図７】  本発明に従ったケースの開梱方法の１実施形態を示す。
【図８】  本発明に従ったケースの開梱方法の１実施形態を示す。
【図９】  本発明に従ったケースの開梱方法の１実施形態を示す。
【図１０】  本発明に従ったケースの開梱方法の１実施形態を示す。
【図１１】  本発明に従ったケースの開梱方法の１実施形態を示す。
【図１２】  本発明に従ったケースの開梱方法の１実施形態を示す。
【図１３】  図７〜１２に対応する本発明の実施形態に従ったブランクアセンブリの平面図である。
【図１４】  組立て前の４枚のフラップをもつ本発明のもう１つの実施形態に従ったカット部材アセンブリの斜視図である。
【図１５】  図１４のカット部材を用いて得られる箱、蓋及び開放底面の斜視図である。
【図１６】  接着後の本発明に従った図１５の斜視図である。
【図１７】  その開梱のさまざまな段階の際の図１６のケースを示す。
【図１８】  本発明のもう１つの実施形態に従った８面をもつ包装用ケースを示す。
【図１９】  図１８のケースを得ることができるようにする２つのカット部材の平面図である。
【図２０】  本発明に従った８面をもつケースのもう１つの実施形態を斜視図で示す。
【図２１】  平らな接合前後の図２０のケースに対応するカット部材アセンブリを示す。
【図２２】  平らな接合前後の図２０のケースに対応するカット部材アセンブリを示す。
【図２３】  平らな接合前後の図２０のケースに対応するカット部材アセンブリを示す。
【図２４】  剥取り可能な小さな面をもつ本発明に従ったディスプレイ用ケースのもう１つの実施形態を斜視図で示す。
【図２５】  その開梱の異なる段階に際しての、本発明に従ったディスプレイ用ケースのもう１つの実施形態の斜視図を示す。
【図２６】  その開梱の異なる段階に際しての、本発明に従ったディスプレイ用ケースのもう１つの実施形態の斜視図を示す。
【図２７】  図２５及び２６のケースに対応する第１及び第２のカット部材をそれぞれ示す。
【図２８】  図２５及び２６のケースに対応する第１及び第２のカット部材をそれぞれ示す。
【図２９】  本発明に従ったもう１つのケースに対応する、第２及び第１のカット部材の１変形形態をそれぞれに示す。
【図３０】  本発明に従ったもう１つのケースに対応する、第２及び第１のカット部材の１変形形態をそれぞれに示す。
【図３１】  その開梱の異なる段階に際しての図２９及び３０のカット部材に対応する本発明に従ったディスプレイ用ケースの実施形態を斜視図で示す。
【図３２】  その開梱の異なる段階に際しての図２９及び３０のカット部材に対応する本発明に従ったディスプレイ用ケースの実施形態を斜視図で示す。
【図３３】  本発明のもう１つの実施形態に従った包装材料の立体化、充てん及び陳列の概覧斜視図である。
【図３４】  本発明のもう１つの実施形態に従った包装材料の立体化、充てん及び陳列のもう１つの概覧斜視図である。
【図３５】  本発明のもう１つの実施形態に従った包装材料の立体化、充てん及び陳列のもう１つの概覧斜視図である。
【図３６】  本発明に従った機械の第１の実施形態の概略的斜視図である。
【図３７】  図３６の機械の第１の部分の分解組立斜視図である。
【図３８】  本発明に従った方法の１実施形態の異なる段階を示す機械的ブロック図の側面図である。
【図３９】  マンドレルのまわりへの巻き付けそしてケース排出前のマンドレルの底面上の折返しを示す、図３６の機械の第２の部分の斜視図である。
【図４０】  マンドレルのまわりへの巻き付けそしてケース排出前のマンドレルの底面上の折返しを示す、図３６の機械の第２の部分の斜視図である。
【図１】
0004454158.tif 000002
【図２】
0004454158.tif 000003
【図３】
0004454158.tif 000004
【図４】
0004454158.tif 000005
【図５】
0004454158.tif 000006
【図６】
0004454158.tif 000007
【図７】
0004454158.tif 000008
【図８】
0004454158.tif 000009
【図９】
0004454158.tif 000010
【図１０】
0004454158.tif 000011
【図１１】
0004454158.tif 000012
【図１２】
0004454158.tif 000013
【図１３】
0004454158.tif 000014
【図１４】
0004454158.tif 000015
【図１５】
0004454158.tif 000016
【図１６】
0004454158.tif 000017
【図１７】
0004454158.tif 000018
【図１８】
0004454158.tif 000019
【図１９】
0004454158.tif 000020
【図２０】
0004454158.tif 000021
【図２１】
0004454158.tif 000022
【図２２】
0004454158.tif 000023
【図２３】
0004454158.tif 000024
【図２４】
0004454158.tif 000025
【図２５】
0004454158.tif 000026
【図２６】
0004454158.tif 000027
【図２７】
0004454158.tif 000028
【図２８】
0004454158.tif 000029
【図２９】
0004454158.tif 000030
【図３０】
0004454158.tif 000031
【図３１】
0004454158.tif 000032
【図３２】
0004454158.tif 000033
【図３３】
0004454158.tif 000034
【図３４】
0004454158.tif 000035
【図３５】
0004454158.tif 000036
【図３６】
0004454158.tif 000037
【図３７】
0004454158.tif 000038
【図３８】
0004454158.tif 000039
【図３９】
0004454158.tif 000040
【図４０】
0004454158.tif 000041